(57)【要約】【課題】複数の撮像部を用いて複数の撮像を行うことができ、これらの撮像部と対象物との間の距離を、より正確に測定することが可能な撮像装置を提供する。【解決手段】本発明の撮像装置は、複数の撮像部を有する撮像装置１００であって、参照光を発光する１つの距離測定用の発光部１０７と、前記参照光の反射光を撮像すると共に、撮像のタイミングを共有する複数の撮像部１０３（１０３Ａ，１０３Ｂ）と、を備える。【選択図】図１
2018077122.tif 000002
【特許請求の範囲】
【請求項１】
複数の撮像部を有する撮像装置であって、
参照光を発光する１つの距離測定用の発光部と、
前記参照光の反射光を撮像すると共に、撮像のタイミングを共有する複数の撮像部と、
を備える撮像装置。
【請求項２】
前記複数の撮像部は、マスタとなる第１の撮像部と、スレーブとなる第２の撮像部とを備え、
前記第１の撮像部の制御部は、前記発光部に対して、発光タイミング信号を出力すると共に、前記第２の撮像部の制御部に対して、撮像タイミング信号を出力し、
前記発光部は、前記第１の撮像部の制御部から入力した発光タイミング信号に基づいて発光し、
前記第２の撮像部が、前記第１の撮像部の制御部から入力した撮像タイミング信号に基づいて撮像を行う、請求項１に記載の撮像装置。
【請求項３】
発光タイミング信号と撮像タイミング信号とを出力するセンサ制御部を更に備え、
前記発光部は、前記センサ制御部から入力する前記発光タイミング信号に基づいて前記参照光を発光し、
前記複数の撮像部の各々は、前記センサ制御部から入力する前記撮像タイミング信号に基づいて撮像を行う、請求項１に記載の撮像装置。
【請求項４】
前記発光タイミング信号及び／又は前記撮像タイミング信号の出力部又は入力部が、遅延調整手段を備える、請求項２又は３に記載の撮像装置。
【請求項５】
複数の撮像部を有する撮像装置による撮像方法であって、
１つの距離測定用の発光部が、参照光を発光し、
複数の撮像部が、前記参照光の反射光を撮像すると共に、撮像のタイミングを共有する、撮像方法。
【発明の詳細な説明】
【技術分野】
【０００１】
本発明は、ＴＯＦ（Ｔｉｍｅ  Ｏｆ  Ｆｌｉｇｈｔ）方式による撮像装置及び撮像方法に関する。
【背景技術】
【０００２】
近年では、ステレオカメラ方式に代わる３次元距離測定として、発光された赤外線が対象物体に反射してカメラで観測されるまでの時間を計測し、その時間から物体までの距離を取得するＴｉｍｅ  ｏｆ  Ｆｌｉｇｈｔ（ＴＯＦ）方式による距離測定装置（ＴＯＦカメラ）が注目されており、ＴＯＦカメラの需要も高まっている。
【先行技術文献】
【特許文献】
【０００３】
【特許文献１】特表２００９−５１６１５７号公報
【特許文献２】特表２０１６−５０２６５７号公報
【発明の概要】
【発明が解決しようとする課題】
【０００４】
複数のＴＯＦカメラが互いに近距離や対向する位置に配置され、それぞれの発光部が参照光を発光する場合、一方のＴＯＦカメラから発光された参照光の反射光が、他方のＴＯＦカメラの撮像部に影響し、正確な距離測定が行えない場合があることが、ＴＯＦカメラの距離測定の原理から知られている。
【０００５】
これにより、例えば、複数のＴＯＦカメラを同時に用い、広い撮影範囲を分割して撮影しようとしても、撮像に互いの反射光が影響してしまうことにより、広い撮影範囲の安定性の高い画像データを取得することが出来なかった。
【０００６】
また、機能安全で要求されるような高い故障検出能力を装置が確保するためには、この装置において、入力部−ロジック部−出力部を２系統化し、更に互いの系統の相互監視を行う構成を用いることが一般的である。より具体的には、図９に示すように、装置１０が入力部１１Ａ、ロジック部１２Ａ、及び出力部１３Ａを備える系１５Ａと、入力部１１Ｂ、ロジック部１２Ｂ、及び出力部１３Ｂを備える系１５Ｂとを備え、ロジック部１２Ａとロジック部１２Ｂとが、互いの系を相互監視することにより、高い故障検出能力を確保する手法を用いることがある。ここで、装置１０において、系１５Ａ及び系１５Ｂが共にＴＯＦ方式による距離測定装置であり、２つの入力部１１Ａ及び１１Ｂが、共にＴＯＦカメラであるケースが存在する。これらの２つの入力部１１Ａ及び１１Ｂが互いに近距離に位置し、それぞれの発光部が参照光を発光する場合、一方のＴＯＦカメラから発光された参照光の反射光が、他方のＴＯＦカメラの撮像部に影響してしまう。
これにより、例えばカメラ故障による撮像もれや、カメラの誤動作の未検出を低減させる目的で、上記の装置１０が複数のＴＯＦカメラを備えても、距離測定の安定性を高めることは出来なかった。
【０００７】
隣接又は近接する複数のＴＯＦカメラを使用する際の反射光の影響について、図１０を参照して詳述する。図１０に示すように、ＴＯＦカメラ２０Ａが、ＴＯＦイメージセンサ２１Ａと、レンズ２２Ａと、発光部２５Ａとを備え、ＴＯＦカメラ２０Ｂが、ＴＯＦイメージセンサ２１Ｂと、レンズ２２Ｂと、発光部２５Ｂとを備えるものとする。この場合、ＴＯＦカメラ２０Ａの発光部２５Ａから発光される参照光Ａ１と、ＴＯＦカメラ２０Ｂの発光部２５Ｂから発光される参照光Ｂ１とは、それぞれ対象物にて反射する（本例では対象物３０にて説明する）。参照光Ａ１の反射光Ａ２は、ＴＯＦカメラ２０ＡのＴＯＦイメージセンサ２１Ａと、ＴＯＦカメラ２０ＢのＴＯＦイメージセンサ２１Ｂとの両方に入射する。同様に、参照光Ｂ１の反射光Ｂ２は、ＴＯＦカメラ２０ＡのＴＯＦイメージセンサ２１Ａと、ＴＯＦカメラ２０ＢのＴＯＦイメージセンサ２１Ｂとの両方に入射する。
【０００８】
なお、以降では、区別する必要が無いときには、ＴＯＦカメラ２０ＡとＴＯＦカメラ２０Ｂとを、「ＴＯＦカメラ２０」と総称することがある。同様に、ＴＯＦイメージセンサ２１ＡとＴＯＦイメージセンサ２１Ｂとを、「ＴＯＦイメージセンサ２１」と総称することがある。同様に、レンズ２２Ａとレンズ２２Ｂとを、「レンズ２２」と総称することがある。同様に、発光部２５Ａと発光部２５Ｂとを、「発光部２５」と総称することがある。また、本明細書においては、「ＴＯＦイメージセンサ２１」を、「撮像部２１」とも呼称する。
【０００９】
この場合、例えば、ＴＯＦカメラ２０Ａにおいて、ＴＯＦカメラ２０Ａから発光された参照光Ａ１の反射光Ａ２に加えて、ＴＯＦカメラ２０Ｂから発光された参照光Ｂ１の反射光Ｂ２までもがＴＯＦカメラ２０Ａの撮像部２１Ａに入射する影響により、ＴＯＦカメラ２０Ａから対象物３０までの距離が正確に測定できなくなる。同様に、ＴＯＦカメラ２０Ｂにおいて、ＴＯＦカメラ２０Ｂから発光された参照光Ｂ１の反射光Ｂ２に加えて、ＴＯＦカメラ２０Ａから発光された参照光Ａ１の反射光Ａ２までもがＴＯＦカメラ２０Ｂの撮像部２１Ｂに入射する影響により、ＴＯＦカメラ２０Ｂから対象物３０までの距離が正確に測定できなくなる。
【００１０】
上述した、ＴＯＦカメラで測定した距離に対し、自身とは異なるＴＯＦカメラの発光部から発光された参照光の反射光が影響を与える理由について、図１１を用いて詳述する。
【００１１】
ＴＯＦカメラの通常の距離測定原理について説明するため、図１１の左側に、発光パルス１ａ、反射光パルス１ｂ、及び、互いにタイミングが異なる、位相が０°の撮像タイミング信号１ｃと、位相が１８０°の撮像タイミング信号１ｄのパルス波形を示す。
【００１２】
発光パルス１ａは、発光部２５により発光された参照光のパルス波形である。発光パルス１ａの山の幅は、Ｔ０である。また、反射光パルス１ｂは、参照光が対象物３０で反射し、撮像部２１に入射する反射光のパルス波形である。反射光の撮像部２１への入射のタイミング、すなわち反射光パルス１ｂのパルスが立ち上がるタイミングは、発光パルス１ａのパルスが立ち上がるタイミングに比べて、Ｔｄだけ遅れる。ＴＯＦカメラ２０においては、この時間差Ｔｄに光の速度を乗じた値を、ＴＯＦカメラ２０と対象物３０との間の往復の距離として算定する。このＴｄの値は、以下の方法により算出する。
【００１３】
撮像タイミング信号として、位相が０°の撮像タイミング信号１ｃと、位相が１８０°の撮像タイミング信号１ｄとを用いるものとする。また、撮像タイミング信号１ｃのパルスの山の始端は、発光パルス１ａのパルスの山の始端に一致するものとする。撮像タイミング信号１ｃと撮像タイミング信号１ｄとは、互いに位相が１８０°異なるため、撮像タイミング信号１ｃのパルスの山の終端は、撮像タイミング信号１ｄのパルスの山の始端に一致する。
【００１４】
ここで、撮像タイミング信号１ｃによる撮像時に反射光パルス１ｂの受光によって蓄えられる電荷がＱ１であり、撮像タイミング信号１ｄによる撮像時に反射光パルス１ｂの受光によって蓄えられる電荷がＱ２であるとき、Ｑ１とＱ２との比率に基づいて、上記のＴｄを算出する。なお、Ｑ１とＱ２は、一般に定常的な外乱光により蓄えられる電荷分は差し引いた電荷である
また、図３においては、発光の波形を矩形状のパルス波としているが、実際には矩形状だけではなく、正弦波状の波形を採用しているＴＯＦカメラが知られている。また、撮像タイミングの観点では、精度向上や測定距離の拡大を目的に位相が０°と１８０°だけでなく、９０°と２７０°のタイミングでも撮像するＴＯＦカメラも知られている。
【００１５】
一方、図１０で説明したように、２つのＴＯＦカメラが近距離に位置するために、一方のＴＯＦカメラから発光された参照光の反射光が、他方のＴＯＦカメラの撮像部に影響する場合における、発光パルス２ａ、反射光パルス２ｂ、撮像タイミング信号２ｃ及び２ｄを、図１１の右側に示す。ここで、通常の距離測定原理に係る説明と同様に、発光パルス２ａのパルスの山の幅をＴ０、反射光パルス２ｂの発光パルス２ａに対する遅延をＴｄとする。
【００１６】
ＴＯＦカメラ２０が近距離に２台存在し、これらの発光部２５Ａ及び２５Ｂが同期していない場合、反射光パルス２ｂは、自身の発光部２５から発光された参照光の反射光のみとなることはなく、別のカメラの発光部２５から発光される発光パルスの反射光（ハッチング部）が加わる場合が存在する。これにより、撮像タイミング信号２ｃによる撮像時に反射光パルス１ｂの受光によって蓄えられる電荷Ｑ１の測定の際、撮像タイミング信号２ｃのパルスの山と、反射光パルス２ｂに示されるハッチング部との重なり部分の電荷は、測定値に影響を与える。同様に、撮像タイミング信号２ｄによる撮像時に反射光パルス１ｂの受光によって蓄えられる電荷Ｑ２の測定の際、撮像タイミング信号２ｄのパルスの山と、反射光パルス２ｂに示されるハッチング部との重なり部分の電荷は、測定値に影響を与える。すなわち、別のカメラの発光部２５から発光される参照光の反射光が、Ｑ１及びＱ２の測定値、更にはＱ１とＱ２の電荷比に影響を与えることにより、反射光パルス２ｂの発光パルス２ａに対する時間差であるＴｄの値を正しく求めることが出来なくなる。延いては、ＴＯＦカメラ２０と対象物３０との間の距離を正しく求めることが出来なくなる。
【００１７】
図１２は、従来の撮像装置５００の第１の具体的な構成例である。撮像装置５００は、ＴＯＦカメラ５１０ＡとＴＯＦカメラ５１０Ｂとを備え、それらは、隣接又は近接している。ＴＯＦカメラ５１０Ａは、制御回路５２０Ａ、ＴＯＦイメージセンサ５２５Ａ、レンズ５３０Ａ、及び発光部５４０Ａを備える。図１２に示す例においては、制御回路５２０ＡとＴＯＦイメージセンサ５２５Ａとが同一チップ内に組み込まれている。同様に、ＴＯＦカメラ５１０Ｂは、制御回路５２０Ｂ、ＴＯＦイメージセンサ５２５Ｂ、レンズ５３０Ｂ、及び発光部５４０Ｂを備え、制御回路５２０ＢとＴＯＦイメージセンサ５２５Ｂとは同一チップ内に組み込まれている。
【００１８】
以下、区別する必要が無いときには、ＴＯＦカメラ５１０ＡとＴＯＦカメラ５１０Ｂとを「ＴＯＦカメラ５１０」と総称する。同様に、制御回路５２０Ａと制御回路５２０Ｂとを「制御回路５２０」と総称する。ＴＯＦイメージセンサ５２５ＡとＴＯＦイメージセンサ５２５Ｂとを「ＴＯＦイメージセンサ５２５」と総称する。レンズ５３０Ａとレンズ５３０Ｂとを「レンズ５３０」と総称する。発光部５４０Ａと発光部５４０Ｂとを「発光部５４０」と総称する。
【００１９】
制御回路５２０は、発光部５４０に対し発光タイミング信号を送信し、発光部５４０は、受信した発光タイミング信号に基づいて、参照光を発光する。また、制御回路５２０は、ＴＯＦイメージセンサ５２５に対し、撮像タイミング信号を送信する。参照光が対象物で反射された反射光は、レンズ５３０を経由してＴＯＦイメージセンサ５２５に入射し、ＴＯＦイメージセンサ５２５は、上記の撮像タイミング信号に基づき、反射光を撮像する。
【００２０】
ここで、ＴＯＦイメージセンサ５２５Ａには、発光部５４０Ａにおいて発光した参照光の反射光だけではなく、発光部５４０Ｂにおいて発光した参照光の反射光も入射する。これにより、上述のように、発光部５４０Ａにおいて参照光を発光してから、ＴＯＦイメージセンサ５２５Ａに反射光が入射するまでの時間差の算出に、発光部５４０Ｂにおいて発光した参照光の反射光が影響してしまう。同様に、ＴＯＦイメージセンサ５２５Ｂには、発光部５４０Ｂにおいて発光した参照光の反射光だけではなく、発光部５４０Ａにおいて発光した参照光の反射光も入射する。これにより、上述のように、発光部５４０Ｂにおいて参照光を発光してから、ＴＯＦイメージセンサ５２５Ｂに反射光が入射するまでの時間差の算出に、発光部５４０Ａにおいて発光した参照光の反射光が影響してしまう。
【００２１】
図１３は、従来の撮像装置５５０の第２の具体的な構成例である。撮像装置５５０は、ＴＯＦカメラ５６０ＡとＴＯＦカメラ５６０Ｂとを備え、それらは、隣接又は近接している。ＴＯＦカメラ５６０Ａは、センサ制御回路５７０Ａ、ＴＯＦイメージセンサ５７５Ａ、レンズ５８０Ａ、及び発光部５９０Ａを備える。図１３に示す例においては、センサ制御回路５７０ＡとＴＯＦイメージセンサ５７５Ａとは異なるチップに組み込まれている。同様に、ＴＯＦカメラ５６０Ｂは、センサ制御回路５７０Ｂ、ＴＯＦイメージセンサ５７５Ｂ、レンズ５８０Ｂ、及び発光部５９０Ｂを備え、センサ制御回路５７０ＢとＴＯＦイメージセンサ５７５Ｂとは異なるチップ内に組み込まれている。
【００２２】
以下、区別する必要が無いときには、ＴＯＦカメラ５６０ＡとＴＯＦカメラ５６０Ｂとを「ＴＯＦカメラ５６０」と総称する。同様に、センサ制御回路５７０Ａとセンサ制御回路５７０Ｂとを「センサ制御回路５７０」と総称する。ＴＯＦイメージセンサ５７５ＡとＴＯＦイメージセンサ５７５Ｂとを「ＴＯＦイメージセンサ５７５」と総称する。レンズ５８０Ａとレンズ５８０Ｂとを「レンズ５８０」と総称する。発光部５９０Ａと発光部５９０Ｂとを「発光部５９０」と総称する。
【００２３】
センサ制御回路５７０は、発光部５９０に対し発光タイミング信号を送信し、発光部５９０は、受信した発光タイミング信号に基づいて、参照光を発光する。また、センサ制御回路５７０は、ＴＯＦイメージセンサ５７５に対し、撮像タイミング信号を送信する。参照光が対象物で反射された反射光は、レンズ５８０を経由してＴＯＦイメージセンサ５７５に入射し、ＴＯＦイメージセンサ５７５は、上記の撮像タイミング信号に基づき、反射光を撮像する。
【００２４】
ここで、ＴＯＦイメージセンサ５７５Ａには、発光部５９０Ａにおいて発光した参照光の反射光だけではなく、発光部５９０Ｂにおいて発光した参照光の反射光も入射する。これにより、上述のように、発光部５９０Ａにおいて参照光を発光してから、ＴＯＦイメージセンサ５７５Ａに反射光が入射するまでの時間差の算出に、発光部５９０Ｂにおいて発光した参照光の反射光が影響してしまう。同様に、ＴＯＦイメージセンサ５７５Ｂには、発光部５９０Ｂにおいて発光した参照光の反射光だけではなく、発光部５９０Ａにおいて発光した参照光の反射光も入射する。これにより、上述のように、発光部５９０Ｂにおいて参照光を発光してから、ＴＯＦイメージセンサ５７５Ｂに反射光が入射するまでの時間差の算出に、発光部５９０Ａにおいて発光した参照光の反射光が影響してしまう。
【００２５】
一般にＴＯＦカメラでは、上記の発光時間であるＴ０は１０〜数十ｎｓであり、１回の発光で得られる露光は小さいため、数千〜数万回の発光及び撮像を行っている。そこで、ＴＯＦカメラを複数台用いる際に、ＴＯＦカメラと対象物との間の距離をより正確に求めるため、ＴＯＦカメラ同士の間で、参照光の発光周波数を変えたり、乱数を用いて発光間隔を変えたりする手法が、従来知られている。しかし、この手法を用いた場合、他のカメラからの参照光の反射による干渉の影響は小さくなるものの、影響を常時小さくすることを保証するものではない。
【００２６】
また、別の手法として、各ＴＯＦカメラをケーブル等で接続し、全ＴＯＦカメラを同期する手段を備えると共に、図１４に示すように、フレームレート内において、個々のカメラの間で、発光／撮像タイミングを分割する手法が、従来知られている。しかし、この手法を用いた場合、ＴＯＦカメラの台数が増加するに従って、フレームレートが長くなってしまうとともに、複数のＴＯＦカメラの撮像タイミングの同時性が悪化してしまう。
【００２７】
この点、特許文献１は、空間領域をモニターし、自動運転設備の危険領域を保護するための装置として、１つの照明装置を２つの画像記録ユニットで共用する装置を開示している。しかし、特許文献１で開示される発明においては、第２の画像記録ユニットは、あくまで三角測量用に用いるものであり、ＴＯＦカメラを用いてカメラと対象物との距離を測定するものではなかった。
【００２８】
また、特許文献２は、複数のＴＯＦカメラが光源を持ち、他のＴＯＦカメラからの変調光が検出される程度によって、自身のＴＯＦカメラの記録モードを変更する技術を開示している。しかし、自身のＴＯＦカメラの記録モードを、画像記録動作や測定動作を中断するように変更した場合、撮像自体が行われなかったり、ビデオストリーム中に、画像記録動作の中断による欠損部分が発生したりすることとなる。また、自身のＴＯＦカメラの記録モードを、参照光の周波数を変更するよう変更した場合、上記の繰り返しとなるが、参照光の反射による干渉の影響を常時小さくすることは保証されない。
【００２９】
そこで、本発明は、複数の撮像部を用いて複数の撮像を行うことができ、これらの撮像部と対象物との間の距離を、より正確に測定することが可能な撮像装置を提供することを目的とする。
【課題を解決するための手段】
【００３０】
本発明に係る撮像装置は、複数の撮像部（例えば、後述のＴＯＦイメージセンサ１０３、１５３、１７５、１８４）を有する撮像装置（例えば、後述の撮像装置１００、１５０、１７０、１８０）であって、参照光を発光する１つの距離測定用の発光部（例えば、後述の発光部１０７、１５７、１７７、１８６）と、前記参照光の反射光を撮像すると共に、撮像のタイミングを共有する複数の撮像部と、を備える。
【００３１】
上記の撮像装置においては、前記複数の撮像部は、マスタとなる第１の撮像部（例えば、後述のＴＯＦイメージセンサ１０３Ａ、１７５Ａ）と、スレーブとなる第２の撮像部（例えば、後述のＴＯＦイメージセンサ１０３Ｂ、１７５Ｂ）とを備え、前記第１の撮像部の制御部（例えば、後述の制御回路１０１Ａ、１７１Ａ）は、前記発光部（例えば、後述の発光部１０７、１７７）に対して、発光タイミング信号を出力すると共に、前記第２の撮像部の制御部（例えば、後述の制御回路１０１Ｂ、１７１Ｂ）に対して、撮像タイミング信号を出力し、前記発光部は、前記第１の撮像部の制御部から入力した発光タイミング信号に基づいて発光し、前記第２の撮像部が、前記第１の撮像部の制御部から入力した撮像タイミング信号に基づいて撮像を行ってもよい。
【００３２】
上記の撮像装置においては、発光タイミング信号と撮像タイミング信号とを出力するセンサ制御部（例えば、後述のセンサ制御回路１５１、１８１）を更に備え、前記発光部（例えば、後述の発光部１５７、１８６）は、前記センサ制御部から入力する前記発光タイミング信号に基づいて前記参照光を発光し、前記複数の撮像部（例えば、後述のＴＯＦイメージセンサ１５３、１８４）の各々は、前記センサ制御部から入力する前記撮像タイミング信号に基づいて撮像を行ってもよい。
【００３３】
上記の撮像装置においては、前記発光タイミング信号、及び／又は前記撮像タイミング信号の出力部又は入力部が、遅延調整手段（例えば、後述の位相調整器１７４、１８３）を備えてもよい。
【００３４】
本発明に係る撮像方法は、複数の撮像部（例えば、後述のＴＯＦイメージセンサ１０３、１５３、１７５、１８４）を有する撮像装置による撮像方法であって、１つの距離測定用の発光部（例えば、後述の発光部１０７、１５７、１７７、１８６）が、参照光を発光し、複数の撮像部が、前記参照光の反射光を撮像すると共に、撮像のタイミングを共有する。
【発明の効果】
【００３５】
本発明によれば、複数の撮像部を用いて複数の撮像を行うことができ、これらの撮像部と対象物との間の距離を、より正確に測定することができる。
【図面の簡単な説明】
【００３６】
【図１】本発明の第１実施形態に係る撮像装置の構成を示す図である。
【図２】本発明の第１実施形態に係る撮像装置における処理を示すフローチャートである。
【図３】本発明の第１実施形態に係る撮像装置による効果を示す図である。
【図４】本発明の第１実施形態に係る撮像装置による効果を示す図である。
【図５】本発明の第２実施形態に係る撮像装置の構成を示す図である。
【図６】本発明の第２実施形態に係る撮像装置における処理を示すフローチャートである。
【図７】本発明の第１の変形例に係る撮像装置の構成を示す図である。
【図８】本発明の第２の変形例に係る撮像装置の構成を示す図である。
【図９】相互監視可能な２つの系を有する装置の一般的な構成例を示す図である。
【図１０】従来のＴＯＦカメラを複数用いた場合の反射光による影響を示す図である。
【図１１】ＴＯＦカメラの距離測定原理と、他のＴＯＦカメラに由来する反射光の影響とを示す図である。
【図１２】従来の撮像装置の構成例を示す図である。
【図１３】従来の撮像装置の構成例を示す図である。
【図１４】複数のＴＯＦカメラを用いた場合の発光／撮像のタイミング例を示す図である。
【発明を実施するための形態】
【００３７】
以下、本発明の実施形態について図１〜図８を参照しながら詳述する。
〔第１実施形態〕
本発明の第１の実施形態に係る撮像装置１００は、図１に示すように、マスタの制御回路１０１Ａと、スレーブの制御回路１０１Ｂと、制御回路１０１Ａの制御対象となるＴＯＦイメージセンサ１０３Ａと、制御回路１０１Ｂの制御対象となるＴＯＦイメージセンサ１０３Ｂとを有する（本明細書では、「ＴＯＦイメージセンサ１０３Ａ」を、「撮像部１０３Ａ」と呼称することもある。同様に、「ＴＯＦイメージセンサ１０３Ｂ」を、「撮像部１０３Ｂ」と呼称することもある）。更に、撮像装置１００は、ＴＯＦイメージセンサ１０３Ａに対応するレンズ１０５Ａ、ＴＯＦイメージセンサ１０３Ｂに対応するレンズ１０５Ｂ、及び、発光部１０７を備える。
【００３８】
マスタの制御回路１０１Ａは、発光部１０７に対し発光タイミング信号を送信し、発光部１０７は、受信した発光タイミング信号に基づき参照光を発光する。また、マスタの制御回路１０１Ａは、ＴＯＦイメージセンサ１０３Ａ及びスレーブの制御回路１０１Ｂに対し、撮像タイミング信号を送信する。スレーブの制御回路１０１Ｂは、マスタの制御回路１０１Ａから受信した撮像タイミング信号を、ＴＯＦイメージセンサ１０３Ｂに送信する。発光部１０７で発光した参照光が対象物で反射した反射光は、レンズ１０５Ａを経由して、ＴＯＦイメージセンサ１０３Ａに入射する。ＴＯＦイメージセンサ１０３Ａは、上記の撮像タイミング信号に基づき、反射光を撮像する。同時に、発光部１０７で発光した参照光が対象物で反射した反射光は、レンズ１０５Ｂを経由して、ＴＯＦイメージセンサ１０３Ｂに入射する。ＴＯＦイメージセンサ１０３Ｂは、上記の撮像タイミング信号に基づき、反射光を撮像する。すなわち、ＴＯＦイメージセンサ１０３ＡとＴＯＦイメージセンサ１０３Ｂとは、発光部１０７で発光した参照光の反射光を共用すると共に、ＴＯＦイメージセンサ１０３Ａにおける撮像タイミングと、ＴＯＦイメージセンサ１０３Ｂにおける撮像タイミングとは同期している。
【００３９】
次に、図２に示すフローチャートを参照しながら、上記の撮像装置１００の動作について詳述する。
【００４０】
ステップＳ１１において、マスタの制御回路１０１Ａは、発光部１０７に対し、発光タイミング信号を送信し、自身が制御するＴＯＦイメージセンサ１０３Ａ及びスレーブの制御回路１０１Ｂに対し、位相０°における撮像タイミング信号を送信する。なお、これらの発光タイミング信号の送信及び撮像タイミング信号の送信は、同時に実施される。
【００４１】
ステップＳ１２において、スレーブの制御回路１０１Ｂは、マスタの制御回路１０１Ａから受信した位相０°における撮像タイミング信号を、自身が制御するＴＯＦイメージセンサ１０３Ｂに対し、送信する。
【００４２】
ステップＳ１３において、発光部１０７が、マスタの制御回路１０１Ａから受信した発光タイミング信号に基づき、参照光を発光すると同時に、ＴＯＦイメージセンサ１０３Ａと１０３Ｂの各々は、参照光が対象物で反射した反射光を、上記の位相０°における撮像タイミング信号に基づき撮像する。なお、図２に示すフローチャートでは明示していないが、これらのステップＳ１１〜Ｓ１３のステップは、規定回数（通常は数千回）連続して繰り返し行う場合が多い。
【００４３】
ステップＳ１４において、マスタの制御回路１０１Ａ及びスレーブの制御回路１０１Ｂの各々は、位相０°の撮像タイミングで撮像したＴＯＦイメージセンサ１０３Ａと１０３Ｂの各々より、上記の電荷Ｑ１の値を取得する。
一般の多くのＴＯＦカメラでは、反射光が微弱であるため、１回の撮像では、十分な比率差のあるＱ１とＱ２の電荷が得られないことに伴い、高い距離計測の精度が保たれない。そこで、上記のように、ステップＳ１１〜Ｓ１３を規定回数連続して繰り返し実施し、電荷を多く貯めた後に、ステップＳ１４において制御回路の各々がＱ１を得る場合が多い。
【００４４】
ステップＳ１５において、マスタの制御回路１０１Ａは、発光部１０７に対し、発光タイミング信号を送信し、自身が制御するＴＯＦイメージセンサ１０３Ａ及びスレーブの制御回路１０１Ｂに対し、位相１８０°における撮像タイミング信号を送信する。なお、これらの撮像タイミング信号の送信は同時に実施される。
【００４５】
ステップＳ１６において、スレーブの制御回路１０１Ｂは、マスタの制御回路１０１Ａから受信した、位相１８０°における撮像タイミング信号を、自身が制御するＴＯＦイメージセンサ１０３Ｂに対し、送信する。
【００４６】
ステップＳ１７において、発光部１０７が、参照光の発光を終了すると同時に、ＴＯＦイメージセンサ１０３Ａと１０３Ｂの各々は、参照光が対象物で反射した反射光を、上記の位相１８０°における撮像タイミング信号に基づき撮像する。なお、図２に示すフローチャートでは明示していないが、これらのステップＳ１５〜Ｓ１７のステップは、ステップＳ１１〜Ｓ１３と同一の規定回数だけ連続して繰り返し行う場合が多い。
【００４７】
ステップＳ１８において、マスタの制御回路１０１Ａ及びスレーブの制御回路１０１Ｂの各々は、位相１８０°の撮像タイミングで撮像したＴＯＦイメージセンサ１０３Ａと１０３Ｂの各々より、上記の電荷Ｑ２の値を取得する。
ステップＳ１１〜Ｓ１３と同様に、ステップＳ１５〜Ｓ１７を規定回数連続して繰り返し実施し、電荷を多く貯めた後に、ステップＳ１８において制御回路の各々がＱ２を得る場合が多い。
【００４８】
ステップＳ１９において、マスタの制御回路１０１Ａ及びスレーブの制御回路１０１Ｂの各々は、取得したＱ１とＱ２より求めた発光から反射光を受光するまでの時間差に基づき、対象物とＴＯＦイメージセンサ１０３Ａ及び１０３Ｂとの間の距離を算出する。
【００４９】
〔第１実施形態による効果〕
上記の構成により、隣接する撮像部が１つの発光部の発光により撮像を行なうため、従来の撮像部が個々に発光部を有して、そのそれぞれを発光させることに由来する反射光の影響を受けることがなくなり、複数の撮像部を用いてもより正確に撮像部と対象物との間の距離を測定することができる。
【００５０】
また、発光部の数を低減することにより、発光部による発熱、撮像装置自体の大きさ及びコストを低減することができる。
【００５１】
更に、現状においては、微弱な反射光も感度良く受光する必要があるため、画素サイズを小さくすることが難しく、ＴＯＦ撮像用のイメージセンサの画像素子は微細化が進んでいない。このため、図３に示すように、高い分解能で、より広い撮像範囲を撮像するためには、撮像範囲を分割して複数の撮像部で撮像する必要がある。
具体的には、図３の左図に示すように、撮像装置１００Ａが、レンズ１０５Ａ〜１０５Ｄの４つのレンズと、レンズ１０５Ａ〜１０５Ｄの各々に対応するイメージセンサ１０３Ａ〜１０３Ｄ（不図示）、及び制御回路１０１Ａ〜１０１Ｄ（不図示）を備える場合、レンズ１０５Ａとイメージセンサ１０３Ａとの組により、図３の右図に示すＡの領域が撮像される。同様に、レンズ１０５Ｂとイメージセンサ１０３Ｂとの組により、図３の右図に示すＢの領域が撮像される。同様に、レンズ１０５Ｃとイメージセンサ１０３Ｃとの組により、図３の右図に示すＣの領域が撮像される。同様に、レンズ１０５Ｄとイメージセンサ１０３Ｄとの組により、図３の右図に示すＤの領域が撮像される。これにより、１組のレンズとイメージセンサを用いて撮像する場合に比較して、より広範囲の領域が撮像される。また、制御回路１０１Ａ〜制御回路１０１Ｄにより、レンズ１０５とイメージセンサ１０３の４つの組は、互いに参照光を共用すると共に、撮像タイミングが互いに同期しているため、４つの撮像部では反射光の影響のない撮像となり、４つの撮像部のデータを結合することで高い分解能で、より広い撮像範囲の画像データの取得が可能となる。
【００５２】
あるいは、図４に示すように、ほぼ同じ範囲を複数の撮像部で撮像することによって、片方の撮像部が不良となっても、正しい撮像を継続することが可能となる。更に、複数の撮像部により撮像された画像データの相互比較を行うことによって、撮像部の不良が発生した場合に、不良の検出が可能となる。これにより、撮像漏れが許されない撮像装置や、高い故障検出が求められる撮像装置への本実施形態の適用ができる。
具体的には、図４の左図に示すように、撮像装置１００Ｂが、レンズ１０５Ａ及び１０５Ｂと、レンズ１０５Ａ及びレンズ１０５Ｂの各々に対応するイメージセンサ１０３Ａ及び１０３Ｂ（不図示）、及び制御回路１０１Ａ及び１０１Ｂ（不図示）を備える場合、レンズ１０５Ａとイメージセンサ１０３Ａとの組により、図４の右図に示すＡの領域が撮像される。同様に、レンズ１０５Ｂとイメージセンサ１０３Ｂとの組により、図４の右図に示すＢの領域が撮像される。Ａの領域の画像において、図示するように画素に欠損がある場合は、レンズ１０５Ａ、イメージセンサ１０３Ａ、及び制御回路１０１Ａのいずれかに不良があることが検知される。同時に、Ｂの領域の画像を用いてＡの領域の画像を補完することにより、仮に、レンズ１０５Ａ、イメージセンサ１０３Ａ、及び制御回路１０１Ａのいずれかに上記のような撮像部の不良が存在しても、撮像漏れを防ぐことが可能となる。
【００５３】
また本発明の方式では、複数の撮像部が同時に撮像を行うため、得られるデータに時間的な同時性があり、データの結合時や、相互比較時において撮像タイミングの差異への配慮が不要となる。
【００５４】
〔第２実施形態〕
本発明の第２の実施形態に係る撮像装置１５０は、図５に示すように、センサ制御回路１５１と、センサ制御回路１５１の制御対象として、ＴＯＦイメージセンサ１５３Ａと、ＴＯＦイメージセンサ１５３Ｂとを有する（本明細書では、「ＴＯＦイメージセンサ１５３Ａ」を、「撮像部１５３Ａ」と呼称することもある。同様に、「ＴＯＦイメージセンサ１５３Ｂ」を、「撮像部１５３Ｂ」と呼称することもある）。更に、撮像装置１５０は、ＴＯＦイメージセンサ１５３Ａに対応するレンズ１５５Ａ、ＴＯＦイメージセンサ１５３Ｂに対応するレンズ１５５Ｂ、及び、発光部１５７を備える。
【００５５】
センサ制御回路１５１は、発光部１５７に対し発光タイミング信号を送信し、発光部１５７は、受信した発光タイミング信号に基づき参照光を発光する。また、センサ制御回路１５１は、ＴＯＦイメージセンサ１５３Ａ及びＴＯＦイメージセンサ１５３Ｂに対し、撮像タイミング信号を送信する。発光部１５７で発光した参照光が対象物で反射した反射光は、レンズ１５５Ａを経由して、ＴＯＦイメージセンサ１５３Ａに入射する。ＴＯＦイメージセンサ１５３Ａは、上記の撮像タイミング信号に基づき、反射光を撮像する。同時に、発光部１５７で発光した参照光が対象物で反射した反射光は、レンズ１５５Ｂを経由して、ＴＯＦイメージセンサ１５３Ｂに入射する。ＴＯＦイメージセンサ１５３Ｂは、上記の撮像タイミング信号に基づき、反射光を撮像する。すなわち、ＴＯＦイメージセンサ１５３ＡとＴＯＦイメージセンサ１５３Ｂとは、発光部１５７で発光した参照光の反射光を共用すると共に、ＴＯＦイメージセンサ１５３Ａにおける撮像タイミングと、ＴＯＦイメージセンサ１５３Ｂにおける撮像タイミングとは同期している。
【００５６】
次に、図６に示すフローチャートを参照しながら、上記の撮像装置１５０の動作について詳述する。
【００５７】
ステップＳ２１において、センサ制御回路１５１は、発光部１５７に対し、発光タイミング信号を送信し、複数のＴＯＦイメージセンサ１５３Ａ及び１５３Ｂの各々に対し、位相０°における撮像タイミング信号を送信する。なお、これらの発光タイミング信号の送信及び撮像タイミング信号の送信は、同時に実施される。
【００５８】
ステップＳ２２において、発光部１５７が、発光タイミング信号に基づき参照光を発光すると同時に、ＴＯＦイメージセンサ１５３Ａと１５３Ｂの各々は、参照光が対象物で反射した反射光を、上記の位相０°における撮像タイミング信号に基づき撮像する。なお、図６に示すフローチャートでは明示していないが、これらのステップＳ２１〜Ｓ２２のステップは、規定回数（通常は数千回）連続して繰り返し行う場合が多い。
【００５９】
ステップＳ２３において、センサ制御回路１５１は、位相０°の撮像タイミングで撮像したＴＯＦイメージセンサ１５３Ａと１５３Ｂの各々より、上記の電荷Ｑ１の値を取得する。
一般の多くのＴＯＦカメラでは、反射光が微弱であるため、１回の撮像では、十分な比率差のあるＱ１とＱ２の電荷が得られないことに伴い、高い距離計測の精度が保たれない。そこで、上記のように、ステップＳ２１〜Ｓ２２を規定回数連続して繰り返し実施し、電荷を多く貯めた後に、ステップＳ２３においてセンサ制御回路１５１がＱ１を得る場合が多い。
【００６０】
ステップＳ２４において、センサ制御回路１５１は、発光部１０７に対し、発光タイミング信号を送信し、複数のＴＯＦイメージセンサ１５３Ａ及び１５３Ｂの各々に対し、位相１８０°における撮像タイミング信号を送信する。なお、これらの撮像タイミング信号の送信は、同時に実施される。
【００６１】
ステップＳ２５において、発光部１５７が参照光の発光を終了すると同時に、ＴＯＦイメージセンサ１５３Ａと１５３Ｂの各々は、参照光が対象物で反射した反射光を、上記の位相１８０°における撮像タイミング信号に基づき撮像する。なお、図６に示すフローチャートでは明示していないが、これらのステップＳ２４〜Ｓ２５のステップは、ステップＳ２１〜Ｓ２２と同一の規定回数だけ連続して繰り返し行う場合が多い。
【００６２】
ステップＳ２６において、センサ制御回路１５１は、位相１８０°の撮像タイミングで撮像したＴＯＦイメージセンサ１５３Ａと１５３Ｂの各々より、上記の電荷Ｑ２の値を取得する。
ステップＳ２１〜Ｓ２２と同様に、ステップＳ２４〜Ｓ２５を規定回数連続して繰り返し実施し、電荷を多く貯めた後に、ステップＳ２６においてセンサ制御回路１５１がＱ２を得る場合が多い。
【００６３】
ステップＳ２７において、センサ制御回路１５１は、取得したＱ１とＱ２より求めた発光から反射光を受光するまでの時間差に基づき、対象物とＴＯＦイメージセンサ１５３Ａ及び１５３Ｂとの間の距離を算出する。
【００６４】
〔第２実施形態による効果〕
上記の構成により、第２実施形態においても、第１実施形態による効果と同様の効果を得ることができる。
【００６５】
〔第３実施形態〕
図７に、第３の実施形態を示す。第３の実施形態である撮像装置１７０は、第１の実施形態の撮像装置１００と同様に、マスタの制御回路１７１Ａと、スレーブの制御回路１７１Ｂと、マスタの制御回路１７１Ａの制御対象となるＴＯＦイメージセンサ１７５Ａと、スレーブの制御回路１７１Ｂの制御対象となるＴＯＦイメージセンサ１７５Ｂとを有する（本明細書では、「ＴＯＦイメージセンサ１７５Ａ」を、「撮像部１７５Ａ」と呼称することもある。同様に、「ＴＯＦイメージセンサ１７５Ｂ」を、「撮像部１７５Ｂ」と呼称することもある）。更に、撮像装置１７０は、ＴＯＦイメージセンサ１７５Ａに対応するレンズ１７６Ａ、ＴＯＦイメージセンサ１７５Ｂに対応するレンズ１７６Ｂ、及び、発光部１７７を備える。これらの基本的な機能については、第１の実施形態における撮像装置１００と同一であるため、その説明を省略する。
【００６６】
マスタの制御回路１７１Ａは、発光タイミング信号及び撮像タイミング信号を出力する出力部１７２を備えるが、第１の実施形態に係る撮像装置１００とは異なり、出力部１７２は、３つの位相調整器（Ｐｈａｓｅ  Ｓｈｉｆｔｅｒ：Ｐ．Ｓ．）１７４Ａ、１７４Ｂ、１７４Ｃを備える。位相調整器１７４Ａは、マスタの制御回路１７１Ａの出力部１７２からＴＯＦイメージセンサ１７５Ａに出力される撮像タイミング信号の位相を調整することにより、撮像タイミング信号の遅延を調整する手段である。位相調整器１７４Ｂは、マスタの制御回路１７１Ａの出力部１７２から発光部１７７に出力される発光タイミング信号の位相を調整することにより、発光タイミング信号の遅延を調整する手段である。位相調整器１７４Ｃは、マスタの制御回路１７１Ａの出力部１７２から、スレーブの制御回路１７１Ｂに出力される撮像タイミング信号の位相を調整することにより、撮像タイミング信号の遅延を調整する手段である。
【００６７】
また、スレーブの制御回路１７１Ｂは、撮像タイミング信号を入力する入力部１７３を備えるが、第１の実施形態に係る撮像装置１００とは異なり、入力部１７３は、位相調整器１７４Ｄを備える。位相調整器１７４Ｄは、マスタの制御回路１７１Ａから、スレーブの制御回路１７１Ｂの入力部１７３に入力される撮像タイミング信号の位相を調整することにより、撮像タイミング信号の遅延を調整する手段である。
【００６８】
第１の実施形態においては、図２のフローチャートのステップＳ１３において、参照光の発光と反射光の撮像とを同時に実施することを理想とする。また、ステップＳ１６において、参照光の発光終了と反射光の撮像とを同時に実施することを理想とする。しかし、撮像装置で用いられている配線の長さや、部品の特性のバラ付き、使用温度、経年劣化等に起因する各信号のタイミングのずれがあるため、実際には、参照光の発光（又は発光終了）と反射光の撮像との間には、微妙な時間的差異があった。第３の実施形態においては、上記の位相調整器を用いることにより、参照光の発光（又は発光終了）と反射光の撮像は、理想的に同時に実施される。
【００６９】
なお、上記の位相調整器１７４Ｃと１７４Ｄはいずれか一方のみが設置されれば足りる。また、位相調整器１７４Ａ、１７４Ｂ、１７４Ｃを経由するタイミング信号のうち、いずれか１つの信号に、他のタイミング信号のタイミングを合わせれば、遅延は発生しないため、位相調整器１７４Ａ、１７４Ｂ、１７４Ｃのうちいずれか１つは省略することが出来る。
【００７０】
遅延の調整は、装置の使用前に予め実施しておいてもよく、又は、装置の使用中に動的に実行してもよい。
【００７１】
〔第３実施形態による効果〕
上記の構成により、撮像装置で用いられている配線の長さや、部品の特性のバラ付き、使用温度、経年劣化等に起因する各信号のタイミングのずれが調整可能となり、これにより、参照光の発光（又は発光終了）と、撮像とを、理想的に同時に実施できる。
【００７２】
〔第４実施形態〕
図８に、第４の実施形態を示す。第４の実施形態である撮像装置１８０は、第２の実施形態の撮像装置１５０と同様に、センサ制御回路１８１、及び、センサ制御回路１８１の制御対象として、ＴＯＦイメージセンサ１８４Ａと、ＴＯＦイメージセンサ１８４Ｂとを有する（本明細書では、「ＴＯＦイメージセンサ１８４Ａ」を、「撮像部１８４Ａ」と呼称することもある。同様に、「ＴＯＦイメージセンサ１８４Ｂ」を、「撮像部１８４Ｂ」と呼称することもある）。更に、撮像装置１８０は、ＴＯＦイメージセンサ１８４Ａに対応するレンズ１８５Ａ、ＴＯＦイメージセンサ１８４Ｂに対応するレンズ１８５Ｂ、及び、発光部１８６を備える。これらの基本的な機能については、第２の実施形態における撮像装置１５０と同一であるため、その説明を省略する。
【００７３】
センサ制御回路１８１は、発光タイミング信号及び撮像タイミング信号を出力する出力部１８２を備えるが、第２の実施形態に係る撮像装置１５０とは異なり、出力部１８２は、３つの位相調整器（Ｐｈａｓｅ  Ｓｈｉｆｔｅｒ：Ｐ．Ｓ．）１８３Ａ、１８３Ｂ、１８３Ｃを備える。位相調整器１８３Ａは、センサ制御回路１８１の出力部１８２から、ＴＯＦイメージセンサ１８４Ａに出力される撮像タイミング信号の位相を調整することにより、撮像タイミング信号の遅延を調整する手段である。位相調整器１８３Ｂは、センサ制御回路１８１の出力部１８２から発光部１８６に出力される発光タイミング信号の位相を調整することにより、発光タイミング信号の遅延を調整する手段である。位相調整器１８３Ｃは、センサ制御回路１８１の出力部１８２から、ＴＯＦイメージセンサ１８４Ｂに出力される撮像タイミング信号の位相を調整することにより、撮像タイミング信号の遅延を調整する手段である。
【００７４】
第２の実施形態においては、図６のフローチャートのステップＳ２２において、参照光の発光と反射光の撮像とを同時に実施することを理想とする。また、ステップＳ２４において、参照光の発光終了と反射光の撮像とを同時に実施することを理想とする。しかし、撮像装置で用いられている配線の長さや、部品の特性のバラ付き、使用温度、経年劣化等に起因する各信号のタイミングのずれがあるため、実際には、参照光の発光（又は発光終了）と反射光の撮像との間には、微妙な時間的差異があった。第４の実施形態においては、上記の位相調整器を用いることにより、参照光の発光（又は発光終了）と反射光の撮像が、理想的に同時に実施される。
【００７５】
なお、位相調整器１８３Ａ、１８３Ｂ、１８３Ｃを経由するタイミング信号のうち、いずれか１つの信号に、他のタイミング信号のタイミングを合わせれば、遅延は発生しないため、位相調整器１８３Ａ、１８３Ｂ、１８３Ｃのうちいずれか１つは省略することが出来る。
【００７６】
遅延の調整は、装置の使用前に予め実施しておいてもよく、又は、装置の使用中に動的に実行してもよい。
【００７７】
〔第４実施形態による効果〕
上記の構成により、第４実施形態においても、第３実施形態による効果と同様の効果を得ることができる。
【００７８】
〔その他の変形例〕
第１実施形態である、図１に記載の撮像装置１００においては、制御回路、ＴＯＦイメージセンサ、及びレンズの個数は各々２個ずつとなっているが、これには限定されず、任意の複数個とすることが可能である。
【００７９】
同様に、第２実施形態である、図５に記載の撮像装置１５０においては、ＴＯＦイメージセンサ、及びレンズの個数は各々２個ずつとなっているが、これには限定されず、任意の複数個とすることが可能である。
【００８０】
また、上記の第１〜第４実施形態においては、複数の撮像部が同一の筺体内に備わっていたが、これには限定されない。例えば、複数の撮像部が各々別ユニットとなっており、撮像タイミング信号が配線やネットワークによって授受されてもよい。
【００８１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００８２】
撮像装置１００、１５０、１７０、１８０による撮像方法は、ソフトウェアにより実現される。ソフトウェアによって実現される場合には、このソフトウェアを構成するプログラムが、撮像装置１００、１５０、１７０、１８０に備わるコンピュータにインストールされる。また、これらのプログラムは、リムーバブルメディアに記録されてユーザに配布されてもよいし、ネットワークを介してユーザのコンピュータにダウンロードされることにより配布されてもよい。更に、これらのプログラムは、ダウンロードされることなくネットワークを介したＷｅｂサービスとしてユーザのコンピュータに提供されてもよい。
【符号の説明】
【００８３】
１００、１５０、１７０、１８０  撮像装置
１０１  制御回路（制御部）
１０３、１５３、１７５、１８４  ＴＯＦイメージセンサ（撮像部）
１０７、１５７、１７７、１８６  発光部
１５１、１８１  センサ制御回路（センサ制御部）
１７４、１８３  位相調整器
【図１】
2018077122.tif 000003
【図２】
2018077122.tif 000004
【図３】
2018077122.tif 000005
【図４】
2018077122.tif 000006
【図５】
2018077122.tif 000007
【図６】
2018077122.tif 000008
【図７】
2018077122.tif 000009
【図８】
2018077122.tif 000010
【図９】
2018077122.tif 000011
【図１０】
2018077122.tif 000012
【図１１】
2018077122.tif 000013
【図１２】
2018077122.tif 000014
【図１３】
2018077122.tif 000015
【図１４】
2018077122.tif 000016
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
参照光を発光する１つの距離測定用の発光部と、
前記参照光の反射光を撮像すると共に、撮像のタイミングを共有する複数の撮像部と、
を備える撮像装置であって、
前記複数の撮像部は、マスタとなる第１の撮像部と、スレーブとなる第２の撮像部とを備え、
前記第１の撮像部の制御部は、前記発光部に対して、発光タイミング信号を出力すると共に、前記第２の撮像部の制御部に対して、撮像タイミング信号を出力し、
前記発光部は、前記第１の撮像部の制御部から入力した発光タイミング信号に基づいて発光し、
前記第２の撮像部が、前記第１の撮像部の制御部から入力した撮像タイミング信号に基づいて撮像を行い、
前記発光タイミング信号及び／又は前記撮像タイミング信号の出力部又は入力部が、発光のタイミングと撮像のタイミングとの間の遅延を調整する遅延調整手段を備える撮像装置。
【請求項２】
参照光を発光する１つの距離測定用の発光部と、
前記参照光の反射光を撮像すると共に、撮像のタイミングを共有する複数の撮像部と、
発光タイミング信号と撮像タイミング信号とを出力するセンサ制御部と、
を備える撮像装置であって、
前記発光部は、前記センサ制御部から入力する前記発光タイミング信号に基づいて前記参照光を発光し、
前記複数の撮像部の各々は、前記センサ制御部から入力する前記撮像タイミング信号に基づいて撮像を行い、
前記発光タイミング信号及び／又は前記撮像タイミング信号の出力部又は入力部が、発光のタイミングと撮像のタイミングとの間の遅延を調整する遅延調整手段を備える撮像装置。
【請求項３】
参照光を発光する１つの距離測定用の発光部と、前記参照光の反射光を撮像すると共に、撮像のタイミングを共有する複数の撮像部とを有し、前記複数の撮像部がマスタとなる第１の撮像部とスレーブとなる第２の撮像部とを有する撮像装置による撮像方法であって、
前記第１の撮像部の制御部は、前記発光部に対して、発光タイミング信号を出力すると共に、前記第２の撮像部の制御部に対して、撮像タイミング信号を出力し、
前記発光部は、前記第１の撮像部の制御部から入力した発光タイミング信号に基づいて発光し、
前記第２の撮像部が、前記第１の撮像部の制御部から入力した撮像タイミング信号に基づいて撮像を行い、
前記発光タイミング信号及び／又は前記撮像タイミング信号の出力部又は入力部が、発光のタイミングと撮像のタイミングとの間の遅延を調整する撮像方法。